(57)【特許請求の範囲】
【請求項１】
床面に配設される開口プレートと、配線器具を保持するとともに開口プレート内方に配設される支持部材とを備えた床配線装置であって、前記支持部材は、複数の配線器具を横並びにしてかつ傾斜した状態で連なるよう支持し、前記支持部材は、開口プレートの開口縁部に係止する係止片と、係止片から垂下する支持片と、支持片の下端から内方に折曲するとともに支持片の左右方向に傾斜する取着片とからなり、前記取着片は、配線器具を固定することを特徴とする床配線装置。
【請求項２】
前記支持部材は、一部の配線器具が他の配線器具と逆傾斜で連なるよう支持することを特徴とする請求項１記載の床配線装置。
【請求項３】
前記支持部材は、一部の配線器具が他の配線器具と大略Ｖ字状に連なるように支持することを特徴とする請求項２記載の床配線装置。
【請求項４】
前記配線器具は配線器具本体及び配線器具取付枠とからなり、前記支持部材は配線器具取付枠を介して配線器具本体を保持するとともに、配線器具取付枠を器具本体着脱操作部のない端縁部にて支持するよう形成したことを特徴とする請求項１乃至３のいずれかに記載の床配線装置。
【請求項５】
前記支持部材は、複数の配線器具を横並びの単位毎に開口プレートから着脱可能なよう設けたことを特徴とする請求項１乃至４のいずれかに記載の床配線装置。
【請求項６】
前記支持部材は、開口プレートへの係止片に取付順列を特定するための識別部を形成したことを特徴とする請求項５記載の床配線装置。
【請求項７】
前記支持部材は、切欠による識別部を有することを特徴とする請求項６記載の床配線装置。
【請求項８】
前記支持部材は、取付部の寸法を異ならせてなる識別部を有することを特徴とする請求項６又は７記載の床配線装置。
【請求項９】
前記支持部材は強電の配線器具本体と弱電の配線器具本体を横並びに支持してなり、強電の配線器具本体背面側に大略箱状をなす保護カバーを配設するとともに、弱電の配線器具本体との境界に位置する保護カバー側壁の上端部に、配線がカバーから膨出するのを防止する鍔部を設けたことを特徴とする請求項１乃至８のいずれかに記載の床配線装置。
【請求項１０】
前記開口プレート内方に配線器具本体のみを露出させる化粧カバーを配設してなり、化粧カバーは、開口プレートと凹凸嵌合する一対の位置決め部と、開口プレートとねじ締結される一対のねじ止め部とを有するとともに、一対の位置決め部間を結ぶ線と一対のねじ止め部間を結ぶ線とが交差するように位置決め部及びねじ止め部を配したことを特徴とする請求項１乃至９のいずれかに記載の床配線装置。
【請求項１１】
前記開口プレート内方に、配線器具本体のみを露出させる化粧カバーと該化粧カバーの上に配設されて開口プレートの開口部を開閉する開閉蓋を配設してなり、開口プレートに、開閉蓋にかかる荷重が化粧カバーに伝達するのを低減させる蓋受け部を設けたことを特徴とする請求項１乃至１０のいずれかに記載の床配線装置。
【請求項１２】
前記開口プレート内方に、開口部を開閉する開閉蓋と該開閉蓋に着脱自在に取付けられて配線引出口を開閉させる着脱片とを配設してなり、前記開閉蓋及び着脱片を各々補強板によって補強し、一方の補強板に本体から突出する突出辺部を設けるとともに、他方の補強板に突出辺部を挟持する挟持爪部を設けたことを特徴とする請求項１乃至１１のいずれかに記載の床配線装置。
【発明の詳細な説明】
【０００１】
【発明の属する技術分野】
本発明は、床面に配設される開口プレートと、配線器具を保持するとともに開口プレート内方に配設される支持部材とを備えた床配線装置に関するものである。
【０００２】
【従来の技術】
従来より、床面に開口プレートを配設し、この開口プレートに配線器具を保持させて該配線器具を床面に配設する床配線装置が用いられている。
【０００３】
これは、床面に枠状をした開口プレート１’を配設し、この開口プレート１’に支持部材３’を取り付け、支持部材３’に配線器具２’を取り付けて該配線器具２’を床面に配設するものである（図１５参照）。このものにあっては、一個の配線器具２’を支持部材３’を介して開口プレート１’に取り付けるものであり、二個以上の配線器具２’を開口プレート１’に配設することはできないものであった。そこで、開口プレート１’を拡大して二個以上の配線器具２’を配設可能にすることが考えられるが、配線器具２’を複数個水平方向に横並びに配設すると、開口プレート１’をかなり拡大する必要が生じて好ましくないものであった。
【０００４】
【発明が解決しようとする課題】
本発明は上記の点に鑑みてなされたものであり、その目的とするところは、床面に配設する開口プレートに支持部材を介して複数の配線器具を配設可能でかつ小型化が図られる床配線装置を提供するものである。
【０００５】
【課題を解決するための手段】
上記課題を解決するために本発明に係る床配線装置は、床面Ｆに配設される開口プレート１と、配線器具２を保持するとともに開口プレート１内方に配設される支持部材３とを備えた床配線装置であって、前記支持部材３は、複数の配線器具２を横並びにしてかつ傾斜した状態で連なるよう支持し、前記支持部材３は、開口プレート１の開口縁部１３に係止する係止片３１と、係止片３１から垂下する支持片３２と、支持片３２の下端から内方に折曲するとともに支持片３２の左右方向に傾斜する取着片３３とからなり、前記取着片３３は、配線器具２を固定することを特徴とするものである。このような構成とすることで、複数の配線器具２を簡単な構成で容易に横並びに傾斜して配設できるものでありながら、特に平面視において小さなスペースに床配線装置を配設可能となって、床配線装置の小型化が図られるものである。
【０００６】
また、前記支持部材３は、一部の配線器具２ａが他の配線器具２ｂ，２ｃと逆傾斜で連なるよう支持することが好ましい。このような構成とすることで、上下方向においても小さなスペースに配設可能となって、床配線装置の小型化がより一層図られるものである。
【０００７】
また、前記支持部材３は、一部の配線器具２ａが他の配線器具２ｂ，２ｃと大略Ｖ字状に連なるように支持することが好ましい。このような構成とすることで、容易に一部の配線器具２ａと他の配線器具２ｂ，２ｃとを逆傾斜で連なるように配設できると共に、いずれ側の配線器具２からの配線も中央部に集めることができて配線が容易となる。
【０００９】
また、前記配線器具２は配線器具本体４及び配線器具取付枠５とからなり、前記支持部材３は配線器具取付枠５を介して配線器具本体４を保持するとともに、配線器具取付枠５を器具本体着脱操作部５２のない端縁部５３にて支持するよう形成することが好ましい。このような構成とすることで、配線器具本体４の配線器具取付枠５への取り付けを器具本体着脱操作部５２にて容易に行えると共に、配線器具取付枠５の支持部材３への取り付けも容易に行えるものである。
【００１０】
また、前記支持部材３は、複数の配線器具２を横並びの単位毎に開口プレート１から着脱可能なよう設けることが好ましい。このような構成とすることで、各支持部材３及び各配線器具２を個別に独立して開口プレート１から着脱可能となる。
【００１１】
また、前記支持部材３は、開口プレート１への係止片３１に取付順列を特定するための識別部を形成することが好ましい。このような構成とすることで、開口プレート１に配設する支持部材３の取付順列をそれぞれ特定できて誤装着するのを防止できる。
【００１２】
また、前記支持部材３は、切欠による識別部を有することが好ましい。このような構成とすることで、簡単な構成で識別部を形成できるものである。
【００１３】
また、前記支持部材３は、取付部の寸法を異ならせてなる識別部を有することが好ましい。このような構成とすることで、識別部として特別に何ら設けることなく識別部を形成することができる。
【００１４】
また、前記支持部材３は強電の配線器具本体４ａと弱電の配線器具本体４ｂ，４ｃを横並びに支持してなり、強電の配線器具本体４ａの背面側に大略箱状をなす保護カバー６を配設するとともに、弱電の配線器具本体４ｂとの境界に位置する保護カバー６の側壁６２ａの上端部に、配線が保護カバー６から膨出するのを防止する鍔部６５を設けることが好ましい。このような構成とすることで、保護カバー６の側壁６２ａにて弱電の配線器具本体４ｂと強電の配線器具本体４ａとを隔絶することができると共に、鍔部６５によって配線が保護カバー６から膨出するのを防止することができる。
【００１５】
また、前記開口プレート１内方に配線器具本体４のみを露出させる化粧カバー７を配設してなり、化粧カバー７は、開口プレート１と凹凸嵌合する一対の位置決め部７７と、開口プレート１とねじ締結される一対のねじ止め部７８とを有するとともに、一対の位置決め部７７間を結ぶ線と一対のねじ止め部７８間を結ぶ線とが交差するように位置決め部７７及びねじ止め部７８を配することが好ましい。このような構成とすることで、配線器具本体４のみを上方に臨ませるように露出させることができるようになり、また、化粧カバー７を正確に且つ確実に開口プレート１に固定することができる。
【００１６】
また、前記開口プレート１内方に、配線器具本体４のみを露出させる化粧カバー７と該化粧カバー７の上に配設されて開口プレート１の開口１０部を開閉する開閉蓋８を配設してなり、開口プレート１に、開閉蓋８にかかる荷重が化粧カバー７に伝達するのを低減させる蓋受け部１７を設けることが好ましい。このような構成とすることで、開閉蓋８にて開口プレート１の開口部１０を閉塞可能とし、また、装飾部材である化粧カバー７に開閉蓋８から過大な力が加わって破損するのを防止することができる。
【００１７】
また、前記開口プレート１内方に、開口部１０を開閉する開閉蓋８と該開閉蓋８に着脱自在に取付けられて配線引出口８０を開閉させる着脱片８１とを配設してなり、前記開閉蓋８及び着脱片８１を各々補強板８２によって補強し、一方の補強板８２に本体から突出する突出辺部８５を設けるとともに、他方の補強板８２に突出辺部８５を挟持する挟持爪部８６を設けることが好ましい。このような構成とすることで、補強板８２による補強が行えると共に、突出辺部８５と挟持爪部８６とで容易に確実に着脱片８１を開閉蓋８に着脱することが可能となる。
【００１８】
【発明の実施の形態】
以下、本発明を添付図面に示す実施形態に基づいて説明する。本発明の床配線装置は、建物の床下配線が配設される床面Ｆに開口プレート１を配設し、この開口プレート１に支持部材３を介して配線器具２を取り付けることによって配線器具２を床面Ｆに配設するもので、特に、複数の配線器具２を横並びに傾斜した状態で連なるように配設するものである。まず、本発明の床配線装置において主体を為す開口プレート１、支持部材３、配線器具２について説明する。
【００１９】
開口プレート１は、図１や図２等に示すように、建物の床面Ｆに形成される開口縁に取り付ける平面視大略ロ字形の枠状のものである。なお、本発明の床配線装置が採用される床面Ｆは、床下配線を有するような床面Ｆであって、通常は、本実施形態の例えば図８に示すように上面が床面Ｆとなる床板ＦＰを有して該床板ＦＰの下側の空間Ｓに床下配線が配設されるものであるが、特に床板ＦＰを有するものに限定されない。
【００２０】
開口プレート１について詳述すると、内部に略矩形状の開口部１０を有する平面視略ロ字形のフランジ状をした上枠部１１と、該上枠部１１の内端周縁から下方に連設される側縦部１２と、該側縦部１２の下端部より内方側に連設される開口縁部１３とで構成される。
【００２１】
フランジ状をした上枠部１１は、床面Ｆの凹空所の上開口縁、即ち床板ＦＰに穿孔した平面視で上枠部１１より若干小さい矩形状の上下方向の貫通口の開口縁上面に上方より載置されるものである（図８参照）。上枠部１１の内端周縁からは、下方に上下長さが比較的短い四つの側面部からなる大略角筒状をした側縦部１２が連設されると共に、該側縦部１２の一対の対向する側面部の下端部よりそれぞれ内方側に略水平な開口縁部１３が連設される。
【００２２】
開口縁部１３は、後述する支持部材３の係止片３１が載置係止されてこれを支持・固定するものである。本実施形態では開口縁部１３の長手方向（即ち該開口縁部１３を連設する側面部の水平方向の長さ）に三個の支持部材３の係止片３１が横並びに並設されるもので、両側の開口縁部１３の対向する部位に後述する配線器具２の両側に取り付けられた支持部材３の係止片３１がそれぞれ載置係止されて固定される（即ち一対の支持部材３にて一個の配線器具２が配設される）。そして、前記三個の係止片３１が載置される部位にこれらを固定する固着具が固着される支持部材３用固着孔１４がそれぞれ穿設される。また更に、開口縁部１３の長手方向の中央部には、後述する保護カバー６を取り付けるための保護カバー用固着具挿通孔１５が穿孔される。
【００２３】
また、開口プレート１の側縦部１２の四つの側面部のうち、前記開口縁部１３が形成されている一対の対向する側面部とは別の他の一対の対向する側面部には、開閉蓋８を上面で受けて支持する蓋受け部１７が内側に突設されると共に、開閉蓋８の係止爪８３とロック爪８４とをそれぞれ受ける係止爪受け部１８とロック爪受け部１９とが穿設されるもので、後で詳述する。
【００２４】
次に、支持部材３について説明する。支持部材３は、係止片３１と、該係止片３１から垂下される支持片３２と、該支持片３２の下端部より連設される取着片３３とからなる（図２等参照）。
【００２５】
係止片３１は、上記開口プレート１の開口縁部１３に載置係止される平面視長方形状をした水平板状のもので、長手方向（即ち開口縁部１３の長手方向）の長さは開口縁部１３の長手方向長さの略１／３に形成してある。本実施形態では、開口プレート１に配設する三個の配線器具２に取り付ける三対の支持部材３ａ，３ｂ，３ｃの前記開口縁部１３の長手方向の長さＬ1，Ｌ2，Ｌ3は、上述したようにほぼ開口縁部１３の長手方向長さの１／３であるものの、区別のためにそれぞれ若干ずつ異ならせてある。即ち、図１に示すように、各支持部材３ａ，３ｂ，３ｃの長手方向長さがＬ1＞Ｌ2＞Ｌ3となる。また係止片３１には、上記開口プレート１の開口縁部１３の支持部材用固着孔１４に対応する固着具挿通孔３５が穿孔される。また更に、中央の支持部材３ｂにおいては、保護カバー６を取り付ける固着孔を避けて且つ後述する識別部としての切欠が形成してある。そして、この係止片３１からは支持片３２が下方に向けて連設される。
【００２６】
支持片３２は、係止片３１の内側辺（即ち係止片３１が開口縁部１３に載置係止された際に開口部１側に位置する端辺）から垂下される縦板状のもので、正面視において下辺が左右方向に傾斜する四角形状のものである。本実施形態では、三対の支持部材３ａ，３ｂ，３ｃは図２に示すように、片側の隣接する二個の支持部材３ｂ，３ｃの下辺が内側へ行く程下方に位置するように直線的に連なると共に、他側の支持部材３ａの下辺も前記二個の支持部材３ｂ，３ｃの下辺と逆傾斜で内側へ行く程下方に位置する直線で形成され、これら三対の支持部材３ａ，３ｂ，３ｃを開口プレート１に取り付けた際に正面視において支持片３２の下辺の全体が略Ｖ字状に連なるものである。そして、支持部材３の係止片３１の下辺からは取着片３３がそれぞれ連設される。
【００２７】
取着片３３は、上記支持片３２の下辺より内側に連設される傾斜した直板状のもので、中央部に配線器具２を固定するための固着孔３６が穿設してある。
【００２８】
次に、配線器具２について説明する。配線器具２は、本実施形態では配線器具本体４と、該配線器具本体４が取り付けられる配線器具取付枠５とからなるが、配線器具本体４のみからなるものでもよい（図１等参照）。
【００２９】
配線器具本体４としては、マルチメディアに対応したフロア用コンセントで、例えば１ヶ口や２ヶ口あるいは３ヶ口以上の電源コンセントやＴＶコンセント、あるいはモジュラジャック等の電源、映像、情報コンセントが挙げられるが、特に限定はされない。本実施形態では、上記支持部材３ａ，３ｂ，３ｃにそれぞれ取り付けられる配線器具２の配線器具本体４として３ヶ口の電源コンセント４ａ、３ヶ口のＴＶコンセント４ｂ、３ヶ口のモジュラジャック４ｃを用いるもので、これらはいずれも略箱状をしたものである。
【００３０】
配線器具取付枠５は、上記配線器具本体４が嵌入される器具開口５０を内部に有する略長方形枠状のもので、両方の長辺部５１に配線器具本体４が取り付けられる被取付部となる器具本体着脱操作部５２が設けてある。また、器具本体着脱操作部５２が設けられない端縁部５３（即ち短辺部）は平板状に形成されており、この端縁部５３が上記支持部材３の取着片３３に取り付けられるもので、端縁部５３の中央部に固着孔５４が穿設してある。
【００３１】
以上のような開口プレート１、支持部材３、配線器具２の床面Ｆへの配設について説明する。
【００３２】
まず、配線器具２の支持部材３への取り付けについて説明する。これは、図１に示すように、配線器具本体４が取り付いた配線器具取付枠５の両側の端縁部５３に一対の支持部材３の取着片３３をそれぞれ上方より当接させ、固着具を取着片３３の固着孔３６に挿通して配線器具取付枠５の固着孔５４に螺着するものである。
【００３３】
次に、配線器具２が取り付いた支持部材３の開口プレート１への取り付けについて説明する。これは、図１に示すように、床面Ｆに配設してある開口プレート１の開口部１０に上方より配線器具２及び支持部材３を挿入し、支持部材３の係止片３１を開口プレート１の開口縁部１３に載置係止する。そして、支持部材３の係止片３１の固着具挿通孔３５に固着具を挿通して開口プレート１の開口縁部１３の支持部材用固着孔１４に螺着するものである。
【００３４】
またなお、床面Ｆに配設した開口プレート１に支持部材３を取り付けた後、支持部材３に配線器具２を取り付けてもよく（図１４参照）、取り付け順序は特に限定されない。
【００３５】
また、支持部材３と配線器具取付枠５とは、個々の機能毎に部材を分けてもよいし、一体のものであってもよい。
【００３６】
このようにして開口プレート１、支持部材３、配線器具２を床面Ｆへ配設した床配線装置には、通常は開口プレート１の開口部１０に開閉蓋８が開閉自在に取り付けられる。
【００３７】
開閉蓋８は、平面視における外郭が上記開口プレート１の上枠部１１の内端周縁とほぼ同形同大の略矩形状の板状のもので（図１１，図１２参照）、開口プレート１の上枠部１１の内部に嵌合されて開口部１０を覆うものである（図９，図１０，図１３等参照）。開閉蓋８の一辺には、略矩形状をした配線引出口８０が切欠開口してあり、この配線取出口８０を覆う着脱片８１が着脱自在に該配線取出口８０に取り付けられるもので、二種類の着脱片８１のうちの一方が取り付けられ、他方は開閉蓋８の下面に取着収納される。着脱片８１としては、開口着脱片８１ａと閉塞着脱片８１ｂの二種類があり、以下に説明する。なお、図１１は開口着脱片８１ａが配線取出口８０に取り付けられて閉塞着脱片８１ｂが開閉蓋８の下面に取着収納された状態を示すものであり、図１２は閉塞着脱片８１ｂが配線取出口８０に取り付けられて開口着脱片８１ａが開閉蓋８の下面に取着収納された状態を示すものである。
【００３８】
開口着脱片８１ａは、平面視において配線引出口８０とほぼ同形同大を為す一側方及び下方に開口する大略箱状をしたもので、下端縁部が配線引出口８０に嵌入される（図１１参照）。この開口着脱片８１ａの側方開口によって開口プレート１内と床上空間とが連通され、開口プレート１内より配線を床上に取り出すことが可能となる。
【００３９】
閉塞着脱片８１ｂは、平面視において配線引出口８０とほぼ同形同大の板状をしたもので、配線引出口に８０嵌入されて該配線引出口８０を閉塞するものである（図１２参照）。
【００４０】
このような開閉蓋８と着脱片８１（開口着脱片８１ａと閉塞着脱片８１ｂ）には、下面に補強板８２がそれぞれ設けてある。上記開閉蓋８及び着脱片８１は、通常は合成樹脂にて主体が形成されるため、金属等の剛性及び強度が大きい材料で形成された補強板８２を設けて補強される。そして更にこの補強板８２に、着脱片８１を開閉蓋８に対して着脱自在とする突出辺部８５及び挟持爪部８６を設けるものである。
【００４１】
これは、図１１，図１２に示すように、開閉蓋８と着脱片８１とにそれぞれ設けた補強板８２のうち、一方（本実施形態では開閉蓋８に設けた補強板８２）に突出辺部８５を設け、他方（本実施形態では着脱片８１に設けた補強板８２）に水平方向の異なる位置において上下に二股となる挟持爪部８６を設け、挟持爪部８６にて突出片を挟持して保持するものである。このようにすることで、容易な構成で突出辺部８５と挟持爪部８６とを互いにスライドさせて開閉蓋８と着脱片８１とを自在に着脱することができる。
【００４２】
次に、開閉蓋８の開口プレート１への取り付けについて説明する。開閉蓋８は、開口プレート１の上枠部１１の内部に嵌合されて開口部１０を覆う際、開口プレート１の蓋受け部１７に載置支持されると共に、開閉蓋８の係止爪８３とロック爪８４とをそれぞれ開口プレート１の係止爪受け部１８とロック爪受け部１９とに係合する。
【００４３】
開口プレート１の蓋受け部１７は、開口プレート１の側縦部１２の四つの側面部のうち開口縁部１３が形成されていない対向する側面部にそれぞれ二個ずつ計四個突設してある（図４参照）。
【００４４】
開閉蓋８の係止爪８３は、開閉蓋８の配線引出口８０が形成してある辺の該配線引出口８０の両側に二個突設してあり（図１１，図１２参照）、一方、開口プレート１の係止爪受け部１８は、開口プレート１の上記蓋受け部１７を突設した側縦部１２の対向する側面部の係止爪８３に対応する部分に、下方に開口する切欠として二個ずつ計四個形成してある（図６参照）。また、開閉蓋８のロック爪８４は、開閉蓋８の前記係止爪８３を突設した辺と対向する辺の中央部に一個突設してあり（図１１，図１２参照）、一方、開口プレート１のロック爪受け部１９は、開口プレート１の上記係止爪受け部１８を形成した対向する側面部のロック爪８４に対応する部分に、下方に開口する切欠として一個ずつ計二個形成してある（図６参照）。
【００４５】
このような開閉蓋８を開口プレート１に取り付けるには、図７に示すように、開閉蓋８の係止爪８３を開口プレート１の一方の側面部に形成した係止爪受け部１８にそれぞれ係合し、開閉蓋８のロック爪８４側の端縁を開口プレート１に嵌入してロック爪８４を開口プレート１のロック爪受け部１９に係合させるものである。このようにして、開閉蓋８を係止爪８３とロック爪８４とで係止して誤って開くことを防止できる。なお、ロック爪８４は、図１１，図１２に示すように、上面側のロックボタン８７を回転させることで開閉蓋８の側方に突出・収納自在に設けてある。またなお、係止爪８３，ロック爪８４，係止爪受け部１８，ロック爪受け部１９を補強板８２に一体に形成することで、これらの補強を図ることができる。
【００４６】
また、この開閉蓋８及び開口プレート１においては、係止爪受け部１８及びロック爪受け部１９を開口プレート１の側縦部１２の対向する側面部にそれぞれ形成してあるため、図９及び図１３に示すように、互いに１８０°反転させた二種類の向きで取り付けることができるものである。
【００４７】
また、このような床配線装置には、配線器具本体４のみを露出して上方に臨ませる化粧カバー７を設けてもよい。化粧カバー７は、上鍔枠７１と、該上鍔枠７１から垂下される側板部７２及び側縦板部７３と、底部を為す傾斜板部７４及び底板部７５とからなる上方に開口する大略箱状をしたものである（図２，図３，図５等参照）。
【００４８】
上鍔枠７１は、外郭が開口プレート１の開口部１０とほぼ同形同大平面視略ロ字形のフランジ状をしたもので、上鍔枠７１の内端周縁からは側板部７２及び側縦板部７３が垂下される。側板部７２は、上鍔枠７１の内端周縁の四辺のうち、開口プレート１の開口縁部１３に対応する対向する一対の辺よりそれぞれ下方に連設されるもので、下方の二辺が支持部材３の取着片３３に沿って傾斜する略Ｖ字を為す正面視略五角形状をしたものである。また、側縦板部７３は、上鍔枠７１の内端周縁の四辺のうち前記側板部７２が形成されていない辺よりそれぞれ下方に連設されて前記側板部７２に側端縁で連続するもので、下端からはそれぞれ傾斜板部７４が連設される。傾斜板部７４は、前記側板部７２の下方の傾斜する二辺にそれぞれ側端縁で連続すると共に、下端縁で略水平な底板部７５にそれぞれ連続する。この傾斜板部７４には、配線器具本体４に対応する部分にのみ開口部７６が穿孔してある。
【００４９】
このような化粧カバー７は、配線器具２が取り付いた支持部材３を開口プレート１に取り付けた後、開口プレート１内に上方より挿入して（図２，図１４等参照）、上鍔枠７１の下面を支持部材３の係止片３１の上面に載置し、傾斜板部７４が配線器具本体４に沿う状態で開口プレート１に固定するものである（図４参照）。
【００５０】
化粧カバー７には、図５に示すように、上鍔枠７１の開口プレート１の開口縁部１３に対応する部分に位置決め部７７とねじ止め部７８とが設けてある。位置決め部７７は、開口プレート１の両側の開口縁部１３に対応する上鍔枠７１の対向する辺の下面にそれぞれ一個ずつ下方に円形状のリブとして突設し、ねじ止め部７８も前記位置決め部７７が突設された上鍔枠７１の対向する辺の下面にそれぞれ一個ずつ穿設してある。特に本実施形態では、位置決め部７７を前記上鍔枠７１の対向する辺の互いに反対側となる端部付近に突設すると共に、ねじ止め部７８を上鍔枠７１の位置決め部７７を設けた辺の位置決め部７７と反対側の端部にそれぞれ穿設し、位置決め部７７同士を結ぶ線とねじ止め部７８同士を結ぶ線とが互いに交差するように形成してある（図５参照）。本実施形態では、略矩形状をした開口プレート１の一方の対角位置にそれぞれ位置決め部７７を設け、他の対角位置にそれぞれねじ止め部７８を設けてあって、位置決め部７７同士を結ぶ線とねじ止め部７８同士を結ぶ線とが互いに略直交するように形成してある。
【００５１】
この化粧カバー７を開口プレート１に上方より挿入して位置決め部７７を開口縁部１３の対応する部分に穿設した位置決め孔に嵌入して位置決めし、ねじ止め部７８にねじからなる固着具を挿通して開口縁部１３のねじ止め孔（図示せず）に螺着して固定するものである。また上鍔枠７１には、上記位置決め部７７及びねじ止め部７８が形成されていない下面に多数のリブ部が形成してあり、支持部材３の係止片３１に載置した際に係止片３１を開口プレート１に固着する固着具を逃がすことができる。
【００５２】
また、化粧カバー７は支持部材３の係止片３１に載置された状態で配設され、この上方に開閉蓋８を配設するのであるが、この時、化粧カバー７の上鍔枠７１の上面は開口プレート１に設けた蓋受け部１７の上面より若干低い位置にあるか略面一となるため、開閉蓋８から受ける下方への荷重はほぼ開口プレート１の蓋受け部１７で受けるもので、化粧カバー７に伝達する荷重を軽減することができる。
【００５３】
また更に、このような床配線装置には、配線器具２の背面側に保護カバー６を設けてもよい。これは、電源コンセントのような強電の配線器具本体４ａと、ＴＶコンセントやモジュラジャック等の弱電の配線器具本体４ｂ，４ｃを隔絶するため、強電の配線器具本体４ａの背面側（即ち下側）に設けるものである。
【００５４】
保護カバー６は、図２等に示すように、四方の側壁６２と、側壁６２の上端縁に設けられる上端鍔部６１と、側壁６２の下方開口に取り付けられる底板部６３とで構成される上方に開口する略箱状をしたものである。側壁６２と上端鍔部６１は一体に形成してあり、別体の底板部６３を固着具を固着具挿通孔３５に挿通して側壁６２に穿設した固着孔に螺着して底板部６３を取り付ける。この保護カバー６を開口プレート１の強電の配線器具本体４ａが取り付けられる部分に予め取り付けておくことで、配線器具２が取り付いた支持部材３をそれぞれ開口プレート１に取り付けた際、強電の配線器具本体４ａと弱電の配線器具本体４ｂとを保護カバー６の側壁６２ａにて隔絶することが可能となる。また、保護カバー６の強電の配線器具本体４ａと弱電の配線器具本体４ｂとを隔絶する側壁６２ａの上端部には、配線が膨出するのを防止する鍔部６５が設けてある。
【００５５】
以上のような構成によれば、支持部材３にて複数の配線器具２を横並びに且つ傾斜した状態で連なるように開口プレート１に支持するため、従来のように一個の配線器具２のみを配設するのではなく複数の配線器具２ａ，２ｂ，２ｃを配設できるものでありながら、これらの配線器具２ａ，２ｂ，２ｃを横並びに傾斜して配設するため、特に平面視において小さなスペースに配設可能となって、該床配線装置の小型化が図られるものである。
【００５６】
また、一部の配線器具２ａを他の配線器具２ｂ，２ｃと逆傾斜で連なるように支持するため、上下方向においても小さなスペースに配設可能となって、床配線装置の小型化がより一層図られるものである。また、前記一部の配線器具２ａと他の配線器具２ｂ，２ｃとの逆傾斜を大略Ｖ字状に連なるようにしたことで、容易に一部の配線器具２ａと他の配線器具２ｂ，２ｃとを逆傾斜で連なるように配設できると共に、いずれ側の配線器具２からの配線も中央部に集めることができて配線が容易となる。
【００５７】
また、支持部材３を上述したような係止片３１と支持片３２と取着片３３とで構成したので、簡単な構成で容易に複数の配線器具２を横並びに傾斜して配設することが可能となる。
【００５８】
また、配線器具本体４と配線器具取付枠５とからなる配線器具２を支持部材３に取り付けるにあたって、配線器具本体４が取り付いた配線器具取付枠５の器具本体着脱操作部５２のない端縁部５３にて支持部材３に支持するようにしたので、配線器具本体４の配線器具取付枠５への取り付けを器具本体着脱操作部５２にて容易に行えると共に、配線器具取付枠５の支持部材３への取り付けも容易に行えるものである。
【００５９】
また、配線器具本体４の交換を支持部材３と配線器具取付枠５とを分解することなく行うことができる。
【００６０】
また、複数の配線器具２を横並びの単位毎に開口プレート１から着脱可能としたことで、即ち、支持部材３の係止片３１を開口プレート１の開口縁部１３に並設したことで、各支持部材３を開口縁部１３から個別に独立して着脱可能となると共に、支持部材３を開口プレート１に取り付けた状態においても支持部材３に取り付けられた各配線器具２が個別に独立して着脱可能となる。これによって、例えば異なる業者がそれぞれ配線作業を行うことが可能となる。
【００６１】
また、開口プレート１に取付ける複数の支持部材３において、開口プレート１への取付部（本実施形態では係止片３１）に取付順列を特定するための識別部を形成したことで、開口プレート１に配設する配線器具２及び支持部材３の取付順列（取り付け位置，取り付け順）をそれぞれ特定できて誤装着するのを防止できる。特に、支持部材３ｂの係止片３１にのみ切欠を形成してこの支持部材３ｂを特定する識別部とすることで、簡単な構成で識別部を形成できるものであり、更に、支持部材３ａ，３ｂ，３ｃの係止片３１の寸法Ｌ1，Ｌ2，Ｌ3をそれぞれ異ならせて識別部としたことで、識別部として特別に何ら設けることなく識別部を形成することができる。
【００６２】
また、強電の配線器具本体４ａと弱電の配線器具本体４ｂ，４ｃを横並びに隣接して配設し、強電の配線器具本体４ａの背面側に保護カバー６を配設したので、保護カバー６の側壁にて弱電の配線器具本体４ｂ，４ｃと強電の配線器具本体４ａとを隔絶することができ、前述のように隔絶する側壁６２ａの上端部に鍔部６５を設けることで配線が保護カバー６から膨出するのを防止することができる。
【００６３】
また、開口プレート１内方に化粧カバー７を配設して配線器具本体４のみを上方に臨ませるように露出して配線器具取付枠５や支持部材３及びこれらが配設されている空間等を覆い隠すことができる。そして、化粧カバー７に開口プレート１と凹凸嵌合する一対の位置決め部７７と、開口プレート１にねじ締結するための一対のねじ止め部７８とを形成し、特にこれら位置決め部７７とねじ止め部７８とを位置決め部７７間を結ぶ線とねじ止め部７８間を結ぶ線とを交差するように配したので、化粧カバー７を正確に位置決めできると共に確実に開口プレート１に固定することができる。特に、ねじ止め部７８を化粧カバー７の対角二点でねじ止めすることでねじ二個にて固定できてねじ部材の削減が可能となる。
【００６４】
また、開口プレート１の開口部１０を開閉する開閉蓋８を配設することで、床配線装置を設けた部分においても床面Ｆとほぼ面一の上面を形成することができ、更に、開口プレート１に開閉蓋８にかかる荷重が化粧カバー７に伝達するのを低減させる蓋受け部１７を突設してあるので、装飾部材である化粧カバー７に開閉蓋８から過大な力が加わって破損するのを防止することができる。
【００６５】
また、開閉蓋８及び該開閉蓋８の配線引出口８０にに着脱自在に取付けられる着脱片８１とを各々補強板８２によって補強したので、合成樹脂にて形成される主体を金属等の剛性及び強度が大きい材料で形成される補強板８２にて補強できる。そして更に、開閉一方の補強板８２（本実施形態では開閉蓋８に設けた補強板８２）に突出辺部８５を設け、他方の補強板８２（本実施形態では着脱片８１に設けた補強板８２）に挟持爪部８６を設けたので、突出辺部８５と挟持爪部８６とを互いにスライドさせて互いに保持したり保持を解除したりすることができ、開閉蓋８と着脱片８１とを自在に着脱することができるもので、特に補強板８２に突出辺部８５と挟持爪部８６とを設けたことで破損の惧れが無いものである。
【００６６】
【発明の効果】
上記のように本発明の請求項１記載の発明にあっては、床面に配設される開口プレートと、配線器具を保持するとともに開口プレート内方に配設される支持部材とを備えた床配線装置であって、前記支持部材は、複数の配線器具を横並びにしてかつ傾斜した状態で連なるよう支持し、前記支持部材は、開口プレートの開口縁部に係止する係止片と、係止片から垂下する支持片と、支持片の下端から内方に折曲するとともに支持片の左右方向に傾斜する取着片とからなり、前記取着片は、配線器具を固定したので、複数の配線器具を簡単な構成で容易に横並びに傾斜して配設できるものでありながら、小さなスペースに、特に平面視において小さなスペースに配設可能となって、床配線装置の小型化が図られるものである。
【００６７】
また請求項２記載の発明にあっては、上記請求項１記載の発明の効果に加えて、前記支持部材は、一部の配線器具が他の配線器具と逆傾斜で連なるよう支持したので、上下方向においても小さなスペースに配設可能となって、床配線装置の小型化がより一層図られるものである。
【００６８】
また請求項３記載の発明にあっては、上記請求項２記載の発明の効果に加えて、前記支持部材は、一部の配線器具が他の配線器具と大略Ｖ字状に連なるように支持したので、容易に一部の配線器具と他の配線器具とを逆傾斜で連なるように配設できると共に、いずれ側の配線器具からの配線も中央部に集めることができて配線が容易となる。
【００７０】
また請求項４記載の発明にあっては、上記請求項１乃至３のいずれかに記載の発明の効果に加えて、前記配線器具は配線器具本体及び配線器具取付枠とからなり、前記支持部材は配線器具取付枠を介して配線器具本体を保持するとともに、配線器具取付枠を器具本体着脱操作部のない端縁部にて支持するよう形成したので、配線器具本体の配線器具取付枠への取り付けを器具本体着脱操作部にて容易に行えると共に、配線器具取付枠の支持部材への取り付けも容易に行えるものである。
【００７１】
また請求項５記載の発明にあっては、上記請求項１乃至４のいずれかに記載の発明の効果に加えて、前記支持部材は、複数の配線器具を横並びの単位毎に開口プレートから着脱可能なよう設けたので、各支持部材及び各配線器具を個別に独立して開口プレートから着脱可能となる。
【００７２】
また請求項６記載の発明にあっては、上記請求項５記載の発明の効果に加えて、前記支持部材は、開口プレートへの係止片に取付順列を特定するための識別部を形成したので、開口プレートに配設する配線器具及び支持部材の取付順列（取り付け位置，取り付け順）をそれぞれ特定できて誤装着するのを防止できる。
【００７３】
また請求項７記載の発明にあっては、上記請求項６載の発明の効果に加えて、前記支持部材は、切欠による識別部を有するので、簡単な構成で識別部を形成できるものである。
【００７４】
また請求項８記載の発明にあっては、上記請求項６又は７記載の発明の効果に加えて、前記支持部材は、取付部の寸法を異ならせてなる識別部を有するので、識別部として特別に何ら設けることなく識別部を形成することができる。
【００７５】
また請求項９記載の発明にあっては、上記請求項１乃至８のいずれかに記載の発明の効果に加えて、前記支持部材は強電の配線器具本体と弱電の配線器具本体を横並びに支持してなり、強電の配線器具本体背面側に大略箱状をなす保護カバーを配設するとともに、弱電の配線器具本体との境界に位置する保護カバー側壁の上端部に、配線がカバーから膨出するのを防止する鍔部を設けたので、保護カバーの側壁にて弱電の配線器具本体と強電の配線器具本体とを隔絶することができると共に、鍔部によって配線がカバーから膨出するのを防止することができる。
【００７６】
また請求項１０記載の発明にあっては、上記請求項１乃至９記載の発明の効果に加えて、前記開口プレート内方に配線器具本体のみを露出させる化粧カバーを配設してなり、化粧カバーは、開口プレートと凹凸嵌合する一対の位置決め部と、開口プレートとねじ締結される一対のねじ止め部とを有するとともに、一対の位置決め部間を結ぶ線と一対のねじ止め部間を結ぶ線とが交差するように位置決め部及びねじ止め部を配したので、配線器具本体のみを上方に臨ませるように露出させることができるようになり、また、化粧カバーを正確に且つ確実に開口プレートに固定することができる。
【００７７】
また請求項１１記載の発明にあっては、上記請求項１乃至１０のいずれかに記載の発明の効果に加えて、前記開口プレート内方に、配線器具本体のみを露出させる化粧カバーと該化粧カバーの上に配設されて開口プレートの開口部を開閉する開閉蓋を配設してなり、開口プレートに、開閉蓋にかかる荷重が化粧カバーに伝達するのを低減させる蓋受け部を設けたので、開閉蓋にて開口プレートの開口部を閉塞可能となり、また、装飾部材である化粧カバーに開閉蓋から過大な力が加わって破損するのを防止することができる。
【００７８】
また請求項１２記載の発明にあっては、上記請求項１乃至１１のいずれかに記載の発明の効果に加えて、前記開口プレート内方に、開口部を開閉する開閉蓋と該開閉蓋に着脱自在に取付けられて配線引出口を開閉させる着脱片とを配設してなり、前記開閉蓋及び着脱片を各々補強板によって補強し、一方の補強板に本体から突出する突出辺部を設けるとともに、他方の補強板に突出辺部を挟持する挟持爪部を設けたので、補強板による補強が行えると共に、突出辺部と挟持爪部とで容易に確実に着脱片を開閉蓋に着脱することが可能となる。
【図面の簡単な説明】
【図１】本発明の一実施形態の要部における一部分解斜視図である。
【図２】同上の実施形態の分解斜視図である。
【図３】同上の実施形態における床面への配設を説明する図であり、化粧カバーを取り付ける直前を示す斜視図である。
【図４】同上の実施形態における床面への配設を説明する図であり、化粧カバーを取り付けた状態を示す斜視図である。
【図５】同上の実施形態における化粧カバーの下側から見た斜視図である。
【図６】同上の実施形態における床面への配設を説明する図であり、化粧カバーを取り付けた状態を示す図４より低い位置から見た斜視図である。
【図７】同上の実施形態における開閉蓋の取り付けを説明する図であり、（ａ）は一方向から見た斜視図であり、（ｂ）は（ａ）と別の方向から見た斜視図である。
【図８】同上の実施形態の床配線装置を床面に配設した状態を示す側面図である。
【図９】同上の状態を示す斜視図である。
【図１０】同上の状態を示す平面図である。
【図１１】同上の実施形態における開閉蓋及び着脱片を示し、（ａ）は上方から見た斜視図であり、（ｂ）は下方から見た斜視図である。
【図１２】同上の実施形態における開閉蓋及び他の着脱片を示し、（ａ）は上方から見た斜視図であり、（ｂ）は下方から見た斜視図である。
【図１３】同上の実施形態の床配線装置を床面に他の向きで配設した状態を示す斜視図である。
【図１４】同上の実施形態において他の取付け順序での取付けを説明する説明図である。
【図１５】従来例の分解斜視図である。
【符号の説明】
１  開口プレート
２  配線器具
３  支持部材
Ｆ  床面
【図１】
0004045840.tif 000002
【図２】
0004045840.tif 000003
【図３】
0004045840.tif 000004
【図４】
0004045840.tif 000005
【図５】
0004045840.tif 000006
【図６】
0004045840.tif 000007
【図７】
0004045840.tif 000008
【図８】
0004045840.tif 000009
【図９】
0004045840.tif 000010
【図１０】
0004045840.tif 000011
【図１１】
0004045840.tif 000012
【図１２】
0004045840.tif 000013
【図１３】
0004045840.tif 000014
【図１４】
0004045840.tif 000015
【図１５】
0004045840.tif 000016